(57)【要約】【課題】建物の外観を容易に変更することができる仕上部材、方立部材及び化粧カバーを提供する。【解決手段】仕上部材は、建物に取り付けられた方立部材２１と、建物の外観を構成する化粧カバーとを備えている。方立部材２１の外側には、複数の突条部２５が形成され、化粧カバーを構成する各カバー部材（３１，３２，３３）には、突条部２５に掛止する突条部３１ｃ，３２ｂ，３３ｂが設けられている。方立部材２１の突条部２５に、各カバー部材（３１，３２，３３）の突条部３１ｃ，３２ｂ，３３ｂを掛止させることにより、化粧カバーを方立部材２１に取り付ける。各カバー部材（３１，３２，３３）の突条部３１ｃ，３２ｂ，３３ｂを、方立部材２１の突条部２５から外すことにより、化粧カバーを方立部材２１から取り外す。【選択図】図３
2015068003.tif 000002
【特許請求の範囲】
【請求項１】
建物に取り付けられた方立部材と、前記建物の外観を構成する化粧カバーとを備えた仕上部材であって、
前記方立部材は、外側に係止部を備え、
前記化粧カバーは、前記係止部に対して着脱可能に係合する係合部を備えたことを特徴とする仕上部材。
【請求項２】
前記化粧カバーの係合部は、前記方立部材の前記係止部に掛止する形状をしていることを特徴とする請求項１に記載の仕上部材。
【請求項３】
前記化粧カバーは、前記建物の外側を覆う複数のカバー部材を備えており、
前記カバー部材は、少なくとも第１パネル部材及び第２パネル部材からなり、
前記第１パネル部材が、前記第２パネル部材に当接することにより、前記第２パネル部材の脱離を規制することを特徴とする請求項１又は２に記載の仕上部材。
【請求項４】
前記係合部は、突条部を備えており、
前記方立部材は、前記突条部と接触して前記第１パネル部材及び前記第２パネル部材の横方向への移動を規制する第１規制部と、前記突条部と接触して下方向への移動を規制する第２規制部とを備えることを特徴とする請求項３に記載の仕上部材。
【請求項５】
建物に取り付けられ、建物の外観を構成する着脱可能な化粧カバーを係止するための係止部が外側に設けられていることを特徴とする方立部材。
【請求項６】
建物に取り付けられた方立部材の外側に設けられた係止部に対して着脱可能に係合する係合部を備え、前記建物の外観を構成することを特徴とする化粧カバー。
【発明の詳細な説明】
【技術分野】
【０００１】
本発明は、構造物の外側を構成する仕上部材、方立部材及び化粧カバーに関する。
【背景技術】
【０００２】
ビルディング等の建物は、外壁によって覆われている（例えば、特許文献１参照）。特許文献１には、建物の躯体に、横フレームや胴縁を介して外壁ユニットが取り付けられた構成が記載されている。更に、この文献には、外壁ユニットは、上下方向の一方に接続凸部を形成し他方に接続凹部を形成した複数の外壁パネルを備え、接続凸部と接続凹部とを接続させて外壁の施工を行なうことが記載されている。
【先行技術文献】
【特許文献】
【０００３】
【特許文献１】特開２００１−５９３００号公報（第１頁、図１）
【発明の概要】
【発明が解決しようとする課題】
【０００４】
従来、上記の特許文献１のように、外壁は建物の躯体に直接、取り付けられる。従って、外壁を変更して、建物の外観を変更することは容易ではなかった。
本発明は、上述の課題に鑑みてなされ、その目的は、建物の外観を容易に変更することができる仕上部材、方立部材及び化粧カバーを提供することにある。
【課題を解決するための手段】
【０００５】
上記課題を解決する仕上部材は、建物に取り付けられた方立部材と、前記建物の外観を構成する化粧カバーとを備えた仕上部材であって、前記方立部材は、外側に係止部を備え、前記化粧カバーは、前記係止部に対して着脱可能に係合する係合部を備えたこと要旨とする。
【０００６】
この構成によれば、方立部材の係止部と化粧カバーの係合部との係合又は脱離により、化粧カバーを方立部材に容易に装着又は脱離させることができる。従って、外周面に様々な装飾を行なった化粧カバーに容易に交換することができるので、建物の外観を容易に変更することができる。また、化粧カバーの一部が壊れた場合にも、容易に交換することができ、メンテナンス性を向上させることができる。
【０００７】
上記仕上部材について、前記化粧カバーの係合部は、前記方立部材の前記係止部に掛止する形状をしていることが好ましい。この構成によれば、引っ掛けることにより、化粧カバーを方立部材に容易に固定することができる。
【０００８】
上記仕上部材について、前記化粧カバーは、前記建物の外側を覆う複数のカバー部材を備えており、前記カバー部材は、少なくとも第１パネル部材及び第２パネル部材からなり、前記第１パネル部材が、前記第２パネル部材に当接することにより、前記第２パネル部材の脱離を規制することが好ましい。この構成によれば、化粧カバーを構成する第１パネル部材が第２パネル部材の脱離方向への移動を規制するので、簡単な構成で、強固に化粧カバーを方立部材に固定することができる。
【０００９】
上記仕上部材について、前記係合部は、突条部を備えており、前記方立部材は、前記突条部と接触して前記第１パネル部材及び前記第２パネル部材の横方向への移動を規制する第１規制部と、前記突条部と接触して下方向への移動を規制する第２規制部とを備えることが好ましい。この構成によれば、化粧カバーを構成する第１パネル部材及び第２パネル部材の横方向への移動及び下方向への移動を規制するので、いっそう強固に化粧カバーを方立部材に固定することができる。
【発明の効果】
【００１０】
本発明によれば、建物の外観を容易に変更することができる。
【図面の簡単な説明】
【００１１】
【図１】実施形態における仕上部材を適用した建物の外観斜視図であり、（ａ）は全体図、（ｂ）は部分拡大図。
【図２】実施形態における仕上部材の平面図。
【図３】実施形態における仕上部材の分解斜視図。
【図４】実施形態における仕上部材の構成を説明する説明図であって、（ａ）は上面図、（ｂ）は（ａ）におけるｂ矢視図、（ｃ）は（ａ）におけるｃ矢視図。
【発明を実施するための形態】
【００１２】
以下、図１〜図４に従って、一実施形態を説明する。
図１（ａ）は、本実施形態の建物の全体斜視図であり、図１（ｂ）は、図１（ａ）における一部拡大断面図である。本実施形態では、図１（ａ）に示すように、凹凸形状のファサードを有する建物１０に適用する。すなわち、この建物１０の外周部には、複数の凸部１１が形成されている。また、建物１０の凸部１１の間には、ガラスで構成された窓部材１２が配置されている。
【００１３】
図２は、建物１０の凸部１１の平面断面図である。各凸部１１は、建物１０の側面に配置される２つ（一対）の仕上部材２０と、一対の仕上部材２０の間に配置されたガラス部材１３とから構成されている。一対の仕上部材２０は、凸部１１の見込方向に対して左右対称に配置される。
【００１４】
各仕上部材２０は、略直方体形状の方立部材２１と、この方立部材２１に接触させて配置された化粧カバー３０とを備えている。本実施形態の方立部材２１は、建物１０の１階から屋上部まで一体で形成されている。化粧カバー３０は、方立部材２１の外側を覆って建物１０の外観を構成する。本実施形態の化粧カバー３０は、Ｌ字形状に配置される３つのカバー部材（３１，３２，３３）から構成されている。第１カバー部材３１は、ガラス部材１３と平行に配置されている。第２カバー部材３２は、第１カバー部材３１に対して直角に配置されている。更に、第３カバー部材３３は、第２カバー部材３２と同一平面上で直線上に配置されている。各カバー部材（３１，３２，３３）の長手方向の長さは、各階の高さと同じ大きさで構成する。各カバー部材（３１，３２，３３）は、上層階又は下層階の化粧カバー３０の各カバー部材（３１，３２，３３）と重なるように配置されている。
【００１５】
各方立部材２１は、複数のボルト１４によって方立ブラケット１５に取り付けられている。この方立ブラケット１５は、図示しないファスナーを介して建物１０の梁に取り付けられている。各方立部材２１の先端部近傍には、第２カバー部材３２の取付側とは反対側に開口された溝部が形成されている。一対の方立部材２１は、凹部においてガラス部材１３の端部を固定することにより、ガラス部材１３を支持する。ガラス部材１３の前面と溝部との間には、シール部材１８ｂ及びシールバッカー１８ａが配置されており、ガラス部材１３の後面と溝部との間には、ガスケット１７が配置されている。更に、方立部材２１には、見込方向側において左右の両側に開口した溝部が形成されている。この溝部の一方において、上述した窓部材１２を支持し、他方の溝部で、パネル部材１９を支持する。この場合、両溝部の配置により、窓部材１２とパネル部材１９とが同一平面上に並ぶことになる。
【００１６】
次に、方立部材２１の外側面及び化粧カバー３０の構造を説明する。図３は仕上部材２０から化粧カバー３０を分解した分解斜視図であり、図４は仕上部材２０の平面図と矢視図である。
【００１７】
図３及び図４（ａ）に示すように、方立部材２１の外側には、所定の間隔で複数の突条部２５が形成されている。この突条部２５は、係止部として機能し、方立部材２１の長手方向（垂直方向）に延在されている。この突条部２５は、長手方向と直交する平面形状がＬ字形状をしている。方立部材２１の、第１カバー部材３１と対向する面に形成された突条部２５は、第２カバー部材３２の取付側とは反対側に折れ曲がったＬ字形状をしている。また、方立部材２１の、第２及び第３カバー部材３２，３３と対向する面に形成された突条部２５は、第１カバー部材３１の取付側とは反対側に折れ曲がったＬ字形状をしている。
【００１８】
更に、図３に示すように、第１カバー部材３１と対向する、方立部材２１の外側には、取付部材２６が、突条部２５間に設けられている。この取付部材２６は、略長方形の板状金具であって、第１カバー部材３１の下方向への移動を規制する第２規制部として機能する。
【００１９】
また、第２及び第３カバー部材３２，３３と対向する、方立部材２１の外側部には、板状金具からなる複数の取付部材２７が取り付けられている。この取付部材２７は、方立部材２１の縦方向（垂直方向）及び横方向に並ぶように配置される。この取付部材２７は、突条部２５の近傍に配置されており、第１カバー部材３１の横方向への移動を規制する第１規制部及び下方向への移動を規制する第２規制部として機能する。
【００２０】
各取付部材２７は、略長方形状をしており、上部角には切欠いた傾斜面２７ｂを設けている。更に、取付部材２７は、下部には横方向に突出した突出部２７ａを有している。この突出部２７ａの横方向の長さは、後述する第２カバー部材３２及び第３カバー部材３３の突条部３２ｂ，３３ｂの幅とほぼ同じ（或いは少し長い）サイズとなっている。各取付部材２７は、突出部２７ａの先端が突条部２５の側面に接触するように配置されている。
【００２１】
各取付部材２６，２７は、中心位置をボルト２８によって固定されている。なお、この取付部材２６，２７は、ボルト２８と離間した位置で、ビス（図示しない）によって固定し、回転が規制される。
【００２２】
次に、化粧カバー３０の詳細について説明する。
図３に示すように、本実施形態の化粧カバー３０は、上述のように、第１カバー部材３１と、第２カバー部材３２と、第３カバー部材３３とから構成されている。ここでは、第２カバー部材３２を第１パネル部材として機能させた場合、第３カバー部材３３は、第２カバー部材３２に対する第２パネル部材として機能する。各カバー部材（３１，３２，３３）は、それぞれ略長方形状の板部材であり、長手方向が建物１０の一階の高さと同じ長さで形成されている。最上階の化粧カバー３０を除き、各カバー部材（３１，３２，３３）の上端には、その上層階のカバー部材（３１，３２，３３）の下端が接触して、カバー部材（３１，３２，３３）が積み上げられる。
【００２３】
図３に示すように、第１カバー部材３１の長辺の一方の縁部には、突出した突条部３１ａが形成されている。
また、第１カバー部材３１において、突条部３１ａの反対側の縁部には、突条部３１ａの突出側とは反対側が鋭角となるように板厚方向に斜めに切欠いた板厚傾斜面が形成されている。更に、第１カバー部材３１は、平面断面がＬ字形状の突条部３１ｂ，３１ｃを備える。これら突条部３１ｂ，３１ｃは、方立部材２１の突条部２５に引っ掛けて第１カバー部材３１を方立部材２１に固定するための係合部である。突条部３１ｂは、第１カバー部材３１の長手方向の上端部から下端部まで延在している。一方、突条部３１ｃは、この突条部３１ｂよりも短く構成される。そして、複数の突条部３１ｃが所定間隔をおいて、第１カバー部材３１の長手方向に一列に並んでいる。更に、この突条部３１ｃの中で、少なくとも１つの突条部３１ｃは、その最下端部が、方立部材２１の取付部材２６の上面に当接するように形成されている。
【００２４】
第２カバー部材３２及び第３カバー部材３３は、同じ構成を備えている。このため、第２カバー部材３２について説明し、第３カバー部材３３については、第２カバー部材３２と同様な符号を付し、その説明は省略する。
【００２５】
第２カバー部材３２は、断面が矩形の突条部３２ａと、断面がＬ字形状の複数の突条部３２ｂとを備える。突条部３２ａは、板厚傾斜面の縁部において、突出して形成されており、第２カバー部材３２と方立部材２１との間隔を保持するために設けられている。突条部３２ｂは、方立部材２１の突条部２５に掛止させて第２カバー部材３２を方立部材２１に固定するための係合部である。突条部３２ａは、第２カバー部材３２の長手方向の上端部から下端部まで延在している。突条部３２ｂはこの突条部３２ａよりも短く構成される。そして、複数の突条部３２ｂが、所定間隔をおいて、第２カバー部材３２の長手方向に一列に並んでいる。更に、この突条部３２ｂの中で、少なくとも１つの突条部３２ｂは、その最下端部が、方立部材２１の取付部材２７の上面に当接するように形成されている。また、突条部３２ａ側の第２カバー部材３２の縁部には、突条部３２ａの突出側とは反対側が鋭角となるように板厚方向に斜めに切欠いた板厚傾斜面が形成されている。
【００２６】
次に、上述した仕上部材２０の化粧カバー３０の取付方法について説明する。
まず、建物１０の躯体に、取付部材２６，２７がネジ止めされた方立部材２１を取り付ける。
【００２７】
次に、化粧カバー３０を方立部材２１に取り付ける。この場合、第１カバー部材３１、第２カバー部材３２、第３カバー部材３３の順番に取り付け、１階分の化粧カバー３０を取り付けた後には、同じ順番で、その上層階の化粧カバー３０を取り付ける。
【００２８】
具体的には、まず、第１カバー部材３１の突条部３１ｃの下方に取付部材２６が位置するように、第１カバー部材３１を方立部材２１に対して少し上方に持ち上げる。次に、第１カバー部材３１の突条部３１ａを方立部材２１の端部に引っ掛けるように、第１カバー部材３１を、ガラス部材１３側とは反対側に移動させる。このとき、第１カバー部材３１の突条部３１ｂ，３１ｃを、方立部材２１の突条部２５に引っ掛ける。そして、第１カバー部材３１を下方に移動させて、第１カバー部材３１の突条部３１ｃを方立部材２１の取付部材２６の上面に当接させる。
【００２９】
次に、第２カバー部材３２の突条部３２ｂの下方に取付部材２７が位置するように、第２カバー部材３２を方立部材２１に対して少し上方に持ち上げる。このとき、第２カバー部材３２の突条部３２ｂを方立部材２１の突条部２５に引っ掛かる。そして、第２カバー部材３２を下方に移動させる。このとき、第２カバー部材３２の突条部３２ｂの下端部は、取付部材２７の傾斜面２７ｂ上をスライドして、取付部材２７の突出部２７ａの上端部に接触する。この場合、第２カバー部材３２の突条部３２ｂは、取付部材２７によって下方向及び第３カバー部材３３側への移動が規制される。更に、第２カバー部材３２の突条部３２ｂの下端部が取付部材２７の突出部２７ａの上端部に接触したときには、第２カバー部材３２の板厚傾斜面が、第１カバー部材３１の板厚傾斜面と整合する。
【００３０】
次に、第３カバー部材３３を、第２カバー部材３２と同様に取り付ける。この場合、第２カバー部材３２は、第３カバー部材３３によって第３カバー部材３３側への移動が規制されることにより、固定される。以上により、化粧カバー３０が方立部材２１に取り付けられる。その後、取り付けられた化粧カバー３０の上層階の化粧カバー３０が取り付けられた場合、下層階の化粧カバー３０は、上層階の化粧カバー３０によって固定される。
【００３１】
また、化粧カバー３０を取り外す場合には、上述した取付方法と逆に、上層階の化粧カバー３０から順に取り外す。この場合、同じ階の化粧カバー３０を取り外す場合には、第３カバー部材３３、第２カバー部材３２及び第１カバー部材３１の順番で、各カバー部材（３１，３２，３３）を取り外す。
【００３２】
本実施形態によれば、以下のような効果を得ることができる。
（１）本実施形態の仕上部材２０は、建物１０に取り付けられた方立部材２１と、建物１０の外観を構成する化粧カバー３０とを備えている。方立部材２１の外周部には、複数の突条部２５が形成され、化粧カバー３０を構成する各カバー部材（３１，３２，３３）には、突条部２５に掛止する突条部３１ｃ，３２ｂ，３３ｂが設けられている。方立部材２１の突条部２５と、各カバー部材（３１，３２，３３）の突条部３１ｃ，３２ｂ，３３ｂとの係合又は脱離により、化粧カバー３０を方立部材２１に容易に装着又は離脱することができる。従って、外観を構成する化粧カバー３０の脱着を容易に行なうことができるので、外周面に様々な装飾を行なった化粧カバー３０に適宜交換することにより、建物１０の外観を容易に変更することができる。また、化粧カバー３０の一部が壊れた場合にも、容易に交換できるので、メンテナンス性を向上させることができる。
【００３３】
（２）本実施形態の仕上部材２０の化粧カバー３０は、複数のカバー部材（３１，３２，３３）から構成されている。第１カバー部材３１が方立部材２１に装着された後、第２カバー部材３２が方立部材２１に装着され、第３カバー部材３３が装着される。この場合、第３カバー部材３３は第２カバー部材３２に当接して、第３カバー部材３３が第２カバー部材３２の、脱離する方向への移動を規制する。従って、簡単な構成で、強固に化粧カバー３０を方立部材に固定することができる。
【００３４】
（３）本実施形態の仕上部材２０の方立部材２１の外周部には、突条部２５に当接させた突出部２７ａを備えた取付部材２７が取り付けられている。方立部材２１の突条部２５に掛止される第２及び第３カバー部材３２，３３の突条部３２ｂ，３３ｂは、取付部材２７によって、突条部２５の反対側の横方向への移動及び下方への移動を規制する。従って、第２及び第３カバー部材３２，３３を、方立部材２１に固定することができる。
【００３５】
（４）本実施形態の取付部材２７の突出部２７ａ側の上部には、角を切欠いた傾斜面２７ｂが形成されている。第２カバー部材３２の突条部３２ｂを方立部材２１の突条部２５に引っ掛けるために、第２カバー部材３２を第１カバー部材３１側に移動させた場合、第２カバー部材３２の突条部３２ｂの下端部は、取付部材２７の傾斜面２７ｂ上をスライドして、取付部材２７の突出部２７ａの上端部に接触する。このため、第２カバー部材３２の突条部３２ｂの下端部は、傾斜面２７ｂにガイドされて突出部２７ａの上端部に位置するので、第２カバー部材３２を方立部材２１に円滑に取り付けることができる。
【００３６】
（５）本実施形態の仕上部材２０の化粧カバー３０は、この上層階の化粧カバー３０が装着された場合、上層階の化粧カバー３０が下層階の化粧カバー３０の、上方向への移動を規制する。このため、複雑な構成を設けることなく、化粧カバー３０を方立部材２１に固定することができる。
【００３７】
また、上記各実施形態は、以下のように変更してもよい。
・上記実施形態の仕上部材２０の化粧カバー３０は、第１カバー部材３１に対して第２カバー部材３２及び第３カバー部材３３が直角となるようなＬ字形状をしている。化粧カバー３０を構成する部材の数や形状はこれに限定されない。例えば、Ｌ字形状をした１つの部材から化粧カバー３０を構成してもよいし、更に、複数のパーツによって化粧カバー３０を構成してもよい。
【００３８】
・上記実施形態の化粧カバー３０は、建物１０の凸部１１を構成する仕上部材２０の外周に設けた。仕上部材２０は、建物１０において凸部１１を構成する箇所に限定されず、例えば、建物１０を構成する方立部材２１と、これに取り付けられる化粧カバー３０とを有した建物の部分であれば適用可能である。
【００３９】
・上記実施形態の各カバー部材（３１，３２，３３）のＬ字形状の突条部３１ｂ，３２ｂ，３３ｂを、方立部材２１のＬ字形状の突条部２５に掛止させることにより、各カバー部材（３１，３２，３３）を方立部材２１に固定した。カバー部材（３１，３２，３３）を方立部材２１に装着する方法は、各カバー部材（３１，３２，３３）の突条部３１ｂ，３２ｂ，３３ｂを、方立部材２１の突条部２５に掛止させることに限らず、例えば、ネジ止め等によって固定してもよい。
【符号の説明】
【００４０】
１０…建物、２０…仕上部材、２１…方立部材、２５…係止部としての突条部、２６，２７…取付部材、２７ａ…突出部、２７ｂ…傾斜面、２８…ボルト、３０…化粧カバー、３１…第１カバー部材、３１ａ…突条部、３１ｂ，３２ａ，３３ａ…突条部、３１ｃ，３２ｂ，３３ｂ…係合部としての突条部、３２…第２カバー部材、３３…第３カバー部材。
【図１】
2015068003.tif 000003
【図２】
2015068003.tif 000004
【図３】
2015068003.tif 000005
【図４】
2015068003.tif 000006